(57)【要約】【課題】清掃部品に付着した細菌を分解除去しかつ清掃部品が清潔に保たれることが可能な構成の口腔衛生装置を提供する。【解決手段】口腔衛生装置１は、口腔内を清掃するための清掃部品３０を有する電動歯ブラシ２と、電動歯ブラシ２への取り付けおよび電動歯ブラシ２からの取り外しが可能かつ清掃部品３０を保護するキャップ５０とを有する。清掃部品３０のブリッスル束４０は、光触媒活性物質を有する。キャップ５０は、電動歯ブラシ２に取り付けられた状態において、口腔衛生装置１の外部からの光がブリッスル束４０を照射することが可能な透光部分５４を有する。【選択図】図１
2014018519.tif 000002
【特許請求の範囲】
【請求項１】
口腔内を清掃するための清掃部品を有し、前記清掃部品が光触媒活性物質を有する清掃装置と、
前記清掃装置への取り付けおよび前記清掃装置からの取り外しが可能かつ前記清掃部品を保護する部品であって、前記清掃装置に取り付けた状態において光が前記清掃部品において前記光触媒活性物質を有する部分を照射することが可能な透光部分を有するキャップと
を有する口腔衛生装置。
【請求項２】
口腔内を清掃するための清掃部品を有し、前記清掃部品が光触媒活性物質を有する清掃装置と、
前記清掃装置への取り付けおよび前記清掃装置からの取り外しが可能かつ前記清掃部品を保護するキャップと、
前記キャップが前記清掃装置に取り付けられるときに前記清掃部品において前記光触媒活性物質を有する部分に対して光を照射する光源と
を有する口腔衛生装置。
【請求項３】
前記光源は、前記キャップに取り付けられる
請求項２に記載の口腔衛生装置。
【請求項４】
前記清掃装置内に位置し、前記光源に電力を供給する電源、および前記電源と前記光源とを電気的に接続する通電回路を有し、
前記通電回路は、前記キャップ内に形成されたキャップ通電通路、前記清掃部品内に形成された清掃部品通電通路、前記清掃装置内に形成されて前記電源の一方の電極および前記清掃部品通電通路のそれぞれに接続される第１本体通電通路、および前記清掃装置内に形成されて前記電源の他方の電極に接続される第２本体通電通路を有し、
前記光源は、前記キャップ通電通路の途中に位置し、
前記清掃装置に前記キャップが取り付けられた状態において、前記キャップ通電通路および前記清掃部品通電通路が接続され、かつ前記キャップ通電通路および前記第２本体通電通路が接続される
請求項２または３に記載の口腔衛生装置。
【請求項５】
前記光源は、発光ダイオードである
請求項２〜４のいずれか一項に記載の口腔衛生装置。
【請求項６】
前記清掃部品は、複数のブリッスルから構成されるブリッスル束、および前記ブリッスル束が植毛される植毛台を有し、
前記植毛台における前記ブリッスル束が植毛される植毛面、および前記ブリッスルの少なくとも一方が前記光触媒活性物質を有する
請求項１〜５のいずれか一項に記載の口腔衛生装置。
【発明の詳細な説明】
【技術分野】
【０００１】
本発明は、口腔内を清掃する清掃装置を有する口腔衛生装置に関する。
【背景技術】
【０００２】
従来の口腔衛生装置は、二酸化チタン粒子等の光触媒活性物質が口腔内を清掃する清掃部品に混入される構成を有する。従来の口腔衛生装置は、光触媒活性物質により清掃部品に付着した細菌を分解除去する。特許文献１は、従来の口腔衛生装置の構成の一例を示している。
【先行技術文献】
【特許文献】
【０００３】
【特許文献１】特開２００４−４１２７８号公報
【発明の概要】
【発明が解決しようとする課題】
【０００４】
従来の口腔衛生装置は、清掃部品を保護する部品について開示されていない。このため、従来の口腔衛生装置においては、使用者が口腔衛生装置を携帯するとき、清掃部品が保護されない。このため、清掃部品が清潔に保たれることが困難となる。
【０００５】
本発明は、上記課題を解決するため、清掃部品に付着した細菌を分解除去しかつ清掃部品が清潔に保たれることが可能な構成の口腔衛生装置を提供することを目的とする。
【課題を解決するための手段】
【０００６】
・本発明の口腔衛生装置は、口腔内を清掃するための清掃部品を有し、前記清掃部品が光触媒活性物質を有する清掃装置と、前記清掃装置への取り付けおよび前記清掃装置からの取り外しが可能かつ前記清掃部品を保護する部品であって、前記清掃装置に取り付けた状態において光が前記清掃部品において前記光触媒活性物質を有する部分を照射することが可能な透光部分を有するキャップとを有することを特徴とする。
【０００７】
・本発明の口腔衛生装置は、口腔内を清掃するための清掃部品を有し、前記清掃部品が光触媒活性物質を有する清掃装置と、前記清掃装置への取り付けおよび前記清掃装置からの取り外しが可能かつ前記清掃部品を保護するキャップと、前記キャップが前記清掃装置に取り付けられるときに前記清掃部品において前記光触媒活性物質を有する部分に対して光を照射する光源とを有することを特徴とする。
【０００８】
・上記口腔衛生装置において、前記光源は、前記キャップに取り付けられることが好ましい。
・上記口腔衛生装置において、前記清掃装置内に位置し、前記光源に電力を供給する電源、および前記電源と前記光源とを電気的に接続する通電回路を有し、前記通電回路は、前記キャップ内に形成されたキャップ通電通路、前記清掃部品内に形成された清掃部品通電通路、前記清掃装置内に形成されて前記電源の一方の電極および前記清掃部品通電通路のそれぞれに接続される第１本体通電通路、および前記清掃装置内に形成されて前記電源の他方の電極に接続される第２本体通電通路を有し、前記光源は、前記キャップ通電通路の途中に位置し、前記清掃装置に前記キャップが取り付けられた状態において、前記キャップ通電通路および前記清掃部品通電通路が接続され、かつ前記キャップ通電通路および前記第２本体通電通路が接続されることが好ましい。
【０００９】
・上記口腔衛生装置において、前記光源は、発光ダイオードであることが好ましい。
・上記口腔衛生装置において、前記清掃部品は、複数のブリッスルから構成されるブリッスル束、および前記ブリッスル束が植毛される植毛台を有し、前記植毛台における前記ブリッスル束が植毛される植毛面、および前記ブリッスルの少なくとも一方が前記光触媒活性物質を有することが好ましい。
【発明の効果】
【００１０】
本発明は、清掃部品に付着した細菌を分解除去しかつ清掃部品が清潔に保たれることが可能な構成の口腔衛生装置を提供する。
【図面の簡単な説明】
【００１１】
【図１】第１実施形態の口腔衛生装置に関する斜視図であり、（ａ）は同装置の斜視構造を示す斜視図、（ｂ）はキャップの一部破断状態の斜視構造を示す斜視図。
【図２】第１実施形態の口腔衛生装置に関する図であり、（ａ）は図１（ａ）のＺ１−Ｚ１平面の断面構造を示す断面図、（ｂ）は同装置のキャップの一部分の正面構造を示す正面図。
【図３】第１実施形態のブリッスル束の一部分の斜視構造を示す斜視図。
【図４】第１実施形態のブリッスルの一部破断状態の斜視構造を示す斜視図。
【図５】第２実施形態の口腔衛生装置に関する図であり、（ａ）は図１（ａ）のＺ１−Ｚ１平面に相当する平面の断面構造を示す断面図、（ｂ）は（ａ）の殺菌装置およびその周辺の拡大図、（ｃ）は同装置のキャップの一部分の正面構造を示す正面図。
【図６】第２実施形態の殺菌装置の斜視構造を示す斜視図。
【図７】第２実施形態の口腔衛生装置の通電回路の構成を示す回路図。
【図８】第３実施形態の口腔衛生装置に関する図であり、（ａ）は殺菌装置およびその周辺の断面構造を示す断面図、（ｂ）はブリッスル束の側面構造を示す側面図。
【図９】第４実施形態の口腔衛生装置に関する図であり、（ａ）は部分断面構造を示す断面図、（ｂ）は（ａ）の口腔衛生装置からキャップを省略した状態の殺菌装置およびその周辺の断面構造を示す断面図。
【図１０】その他の実施形態の口腔衛生装置に関する断面図であり、清掃部品およびその周辺の断面構造を示す断面図。
【図１１】その他の実施形態の口腔衛生装置に関する斜視図であり、キャップの一部分の斜視構造を示す斜視図。
【図１２】その他の実施形態の口腔衛生装置に関する斜視図であり、植毛台の斜視構造を示す斜視図。
【図１３】その他の実施形態の口腔衛生装置に関する斜視図であり、ブリッスルの斜視構造を示す斜視図。
【発明を実施するための形態】
【００１２】
（第１実施形態）
口腔衛生装置１の方向について次のように定義する。
（Ａ）Ｚ方向は、口腔衛生装置１の長手方向を示す。
（Ｂ）Ｙ方向は、口腔衛生装置１の正面視においてＺ方向と直交する方向を示す。
（Ｃ）Ｘ方向は、口腔衛生装置１の側面視においてＺ方向と直交する方向を示す。
（Ｄ）前方向ＸＡは、Ｘ方向において背面側から正面側に向かう方向を示す。
（Ｅ）後方向ＸＢは、Ｘ方向において正面側から背面側に向かう方向を示す。
（Ｆ）上方向ＺＡはＺ方向において口腔衛生装置１の底部から先端に向かう方向を示す。
（Ｇ）下方向ＺＢはＺ方向において口腔衛生装置１の先端から底部に向かう方向を示す。
【００１３】
図１を参照して、口腔衛生装置１の構成について説明する。
図１（ａ）に示されるように、口腔衛生装置１は、電動歯ブラシ２およびキャップ５０を有する。口腔衛生装置１は、キャップ５０が電動歯ブラシ２に取り付けられる構成を有する。なお、電動歯ブラシ２は「清掃装置」に相当する。
【００１４】
図１（ｂ）に示されるように、電動歯ブラシ２は、装置本体１０および清掃部品３０を有する。電動歯ブラシ２は、清掃部品３０が装置本体１０に取り付けられる構成を有する。電動歯ブラシ２は、清掃部品３０により使用者の口腔内を清掃する。
【００１５】
図２を参照して、口腔衛生装置１の内部構成について説明する。
装置本体１０は、本体ケース１１内に電源１２としての２次電池、振動発生装置１３、および制御部２０を収容する。装置本体１０は、使用者により把持される。
【００１６】
本体ケース１１は、樹脂材料により筒状に成形される。本体ケース１１においては、前方向ＸＡの部分に電源スイッチ１８が取り付けられる。本体ケース１１は、上端部分にキャップ５０と嵌合する嵌合部分１１Ａを有する。
【００１７】
振動発生装置１３は、駆動軸１４、アクチュエーター１５、軸受部品１６、および軸受支持体１７を有する。振動発生装置１３においては、軸受部品１６が軸受支持体１７を介して本体ケース１１に取り付けられる。振動発生装置１３は、清掃部品３０をＺ方向に振動させる。
【００１８】
アクチュエーター１５は、Ｚ方向に振動する出力軸（図示略）を有する。駆動軸１４は、アクチュエーター１５の出力軸に連結される。駆動軸１４は、金属材料により形成される。駆動軸１４は、清掃部品３０のブラシ柄３１に接続される。軸受部品１６は、金属材料により形成される。軸受部品１６は、本体ケース１１に対する駆動軸１４の回転が可能な状態で駆動軸１４を支持する。軸受支持体１７は、金属材料により形成される。軸受支持体１７は、本体ケース１１内に固定される。軸受支持体１７は、本体ケース１１において電源スイッチ１８および嵌合部分１１Ａの間の部分に位置する。軸受支持体１７は、軸受部品１６を保持する。
【００１９】
電源スイッチ１８は、操作部品１８Ａおよびスイッチ１８Ｂを有する。操作部品１８Ａは、本体ケース１１に取り付けられる。スイッチ１８Ｂは、制御部２０の回路基板２１に取り付けられる。スイッチ１８Ｂは、機械式のスイッチが用いられる。スイッチ１８Ｂは、電源スイッチ１８のオン状態およびオフ状態を切り替える。
【００２０】
制御部２０は、回路基板２１およびマイクロコンピューター２２を有する。制御部２０においては、回路基板２１上にマイクロコンピューター２２が実装される。制御部２０は、振動発生装置１３の動作を制御する。
【００２１】
清掃部品３０は、ブラシ柄３１、植毛台３２、およびブリッスル束４０を有する。清掃部品３０は、同一の樹脂材料によりブラシ柄３１および植毛台３２が一体に成形された構成を有する。清掃部品３０は、植毛台３２の前方向ＸＡの面（以下、「植毛面３２Ａ」）にブリッスル束４０が植毛された構成を有する。なお、ブリッスル束４０は「清掃部品において光触媒活性物質を有する部分」に相当する。
【００２２】
キャップ５０は、側周壁５１、上壁５２、および透光部分５４を有する。キャップ５０は、同一の樹脂材料により側周壁５１および上壁５２が一体に成形された構成を有する。キャップ５０は、電動歯ブラシ２への取り付けおよび電動歯ブラシ２からの取り外しが可能な状態で電動歯ブラシ２に取り付けられる。キャップ５０は、電動歯ブラシ２に取り付けられた状態において清掃部品３０を覆う。キャップ５０は、電動歯ブラシ２に取り付けられた状態において清掃部品３０を保護する。
【００２３】
上壁５２は、側周壁５１の上端部分を覆う。上壁５２は、２個の通気孔５２Ａ（図１（ａ）参照）を有する。通気孔５２Ａは、キャップ５０の内部および外部を連通する。
側周壁５１は、平面視において本体ケース１１の外形と同様の形状に形成される。側周壁５１は、筒状に形成される。側周壁５１は、前方向ＸＡの部分に取付部分５３を有する。側周壁５１は、清掃部品３０および本体ケース１１の嵌合部分１１Ａを外囲する。側周壁５１は、キャップ５０が電動歯ブラシ２に取り付けられた状態において、嵌合部分１１Ａに嵌め合わせられる。
【００２４】
取付部分５３は、側周壁５１の前方向ＸＡの部分をＸ方向に貫通する開口部分として形成される。取付部分５３は、その全周にわたり段差部分５３Ａを有する。取付部分５３は、キャップ５０が電動歯ブラシ２に取り付けられた状態において、植毛台３２とＸ方向に対向する。
【００２５】
透光部分５４は、透明な樹脂材料であるポリカーボネートにより成形される。透光部分５４は、キャップ５０の正面視において、Ｚ方向が長手方向となり、Ｙ方向が短手方向となる長方形状を有する。透光部分５４は、取付部分５３の段差部分５３Ａに嵌め合わせられる。透光部分５４は、溶接により取付部分５３に固定される。図２（ｂ）に示されるように、透光部分５４は、植毛台３２およびブリッスル束４０と対向する。透光部分５４のＹ方向の寸法は、植毛台３２のＹ方向の寸法よりも大きい。透光部分５４のＺ方向の寸法は、植毛台３２のＺ方向の寸法よりも大きい。
【００２６】
電動歯ブラシ２の動作について説明する。
使用者により電源スイッチ１８がオン状態に操作されたとき、制御部２０は、アクチュエーター１５への電力の供給を開始する。制御部２０は、電源スイッチ１８がオフ状態となるまでの間にわたり、アクチュエーター１５への電力の供給を継続する。
【００２７】
アクチュエーター１５の出力軸は、電力の供給を受けるとき、Ｚ方向に振動する。これにともない、駆動軸１４がＺ方向に振動する。このため、清掃部品３０は、Ｚ方向に振動する。これにより、植毛台３２およびブリッスル束４０がＺ方向に振動する。
【００２８】
図３および図４を参照して、ブリッスル束４０の詳細な構成について説明する。
図３に示されるように、ブリッスル束４０は、複数のブリッスル４１を束ねることにより形成される。
【００２９】
図４に示されるように、各ブリッスル４１は、光触媒活性物質４２としての二酸化チタンを有する。各ブリッスル４１は、光触媒活性物質４２が混錬されたポリアミド樹脂により形成される。
【００３０】
光触媒活性物質４２の作用について説明する。
光触媒活性物質４２は、光が照射されたとき、光触媒活性物質４２の表面から電子が飛び出すことにより、プラスの電荷を帯びる正孔が形成される。光触媒活性物質４２は、正孔が水中にある水酸化イオンから電子を奪うことにより強い酸化力を有するＯＨラジカルを生成する。そして、ＯＨラジカルは、安定化を図るため、近くの有機物から電子を奪う。これにより、有機物は、結合が分断され、二酸化炭素および水となる。このように、光触媒活性物質４２は、有機物を分解するため、空気中のＮＯｘ、ホルムアルデヒド等を除去し、アンモニア等の悪臭を分解し、ブリッスル４１に付着した細菌を分解する。
【００３１】
図２〜図４を参照して、口腔衛生装置１の作用について説明する。
ブリッスル４１は、使用者が電動歯ブラシ２により口腔内を清掃するとき、隣り合うブリッスル４１との接触および歯面との接触により光触媒活性物質４２を覆う部分が磨耗する。これにより、光触媒活性物質４２は、ブリッスル４１の表面から外部に放出されることが可能な状態となる。
【００３２】
使用者は、電動歯ブラシ２により口腔内を清掃した後、水により清掃部品３０を洗浄する。そして、使用者は、電動歯ブラシ２にキャップ５０を取り付ける。口腔衛生装置１は、電動歯ブラシ２にキャップ５０が取り付けられた状態において、透光部分５４を介して口腔衛生装置１の外部からの光をブリッスル束４０に照射することが可能となる。このため、光が透光部分５４を介してブリッスル束４０に照射されたとき、ブリッスル束４０の光触媒活性物質４２の作用によりブリッスル束４０に付着した細菌が分解除去される。
【００３３】
本実施形態の口腔衛生装置１は、以下の効果を奏する。
（１）口腔衛生装置１においては、清掃部品３０を保護するキャップ５０を有する。この構成によれば、使用者が口腔衛生装置１を携帯するとき、清掃部品３０が清潔に保たれる。
【００３４】
また、キャップ５０においては、透光部分５４を有する。口腔衛生装置１が光に当たる場所に置かれたとき、光がキャップ５０の透光部分５４を介してブリッスル４１の光触媒活性物質４２に照射される。このとき、光触媒活性物質４２は、ブリッスル４１に付着した細菌を分解除去する。したがって、口腔衛生装置１は、ブリッスル４１に付着した細菌を分解除去しかつ清掃部品３０を清潔に保つことができる。
【００３５】
（第２実施形態）
図５〜図７は、第２実施形態の口腔衛生装置１を示す。本実施形態の口腔衛生装置１は、図２に示される第１実施形態の口腔衛生装置１との主要な相違点として、次の相違点を有する。すなわち、口腔衛生装置１は、透光部分５４に代えて、殺菌装置６０を有する。また、口腔衛生装置１は、殺菌装置６０に電力を供給するための通電回路ＦＣを有する。また、口腔衛生装置１は、キャップ検出装置７０を有する。以下では、第１実施形態の口腔衛生装置１と異なる点の詳細を説明し、第１実施形態と共通する構成については同一の符号を付してその説明の一部または全部を省略する。
【００３６】
図５に示されるように、電動歯ブラシ２の装置本体１０は、本体ケース１１に導電ケース１９が固定される。
導電ケース１９は、金属粉を含む樹脂材料により形成される。導電ケース１９は、筒状に形成される。導電ケース１９は、本体ケース１１において電源スイッチ１８および嵌合部分１１Ａの間に位置する。導電ケース１９は、キャップ５０が電動歯ブラシ２に取り付けられた状態において、キャップ５０の下端面と接触する。
【００３７】
制御部２０は、第１接続端子２３および第２接続端子２４を有する。
第１接続端子２３は、金属板により形成される。第１接続端子２３は、回路基板２１の前方向ＸＡ側の面に取り付けられる。第１接続端子２３は、導電ケース１９に接触する。第１接続端子２３は、マイクロコンピューター２２と導電ケース１９とを電気的に接続する。
【００３８】
第２接続端子２４は、金属板により形成される。第２接続端子２４は、回路基板２１の後方向ＸＢ側の面に取り付けられる。第２接続端子２４は、軸受支持体１７に接触する。第２接続端子２４は、マイクロコンピューター２２と軸受支持体１７とを電気的に接続する。
【００３９】
清掃部品３０は、導電体３３および接続ターミナル３４を有する。清掃部品３０においては、ブラシ柄３１、植毛台３２、導電体３３、および接続ターミナル３４が一体に成形される。
【００４０】
導電体３３は、金属粉を含む樹脂材料により形成される。導電体３３は、植毛台３２において前方向ＸＡの部分に位置する。導電体３３の前方向ＸＡの面は、植毛面３２Ａを構成する。
【００４１】
接続ターミナル３４は、金属板により形成される。接続ターミナル３４は、Ｚ方向に延びる。接続ターミナル３４の上端部分は、導電体３３に接続される。接続ターミナル３４の下端部分は、装置本体１０に清掃部品３０が取り付けられた状態において駆動軸１４に接触する。
【００４２】
キャップ５０は、導電筒５６、導電板５７、カバー５８、および殺菌装置６０を有する。本実施形態のキャップ５０は、取付部分５３（図２参照）が側周壁５１から省略された構成を有する。本実施形態のキャップ５０は、通気孔５２Ａ（図１参照）が上壁５２から省略された構成を有する。また、キャップ５０においては、側周壁５１および上壁５２が非導電性を有する樹脂材料により成形される。
【００４３】
側周壁５１は、筒固定部分５１Ａ、取付開口部分５１Ｂ（ともに図５（ｂ）参照）、および磁石固定部分５１Ｃを有する。筒固定部分５１Ａは、側周壁５１の内面が拡径された部分として形成される。筒固定部分５１Ａは、側周壁５１の全周にわたり形成される。取付開口部分５１Ｂは、側周壁５１の前方向ＸＡの部分において側周壁５１をＸ方向に貫通する。取付開口部分５１Ｂは、段差部分５１Ｄ（図５（ｂ）参照）を有する。磁石固定部分５１Ｃは、側周壁５１の前方向ＸＡの部分かつ下端部分に形成される。磁石固定部分５１Ｃは、側周壁５１の下端面から上方向ＺＡに向けて凹む凹形状を有する。
【００４４】
導電筒５６は、金属粉を含む樹脂材料により形成される。導電筒５６は、Ｚ方向に貫通する筒形状を有する。導電筒５６は、側周壁５１の筒固定部分５１Ａに圧入される。導電筒５６の上端部分かつ前方向ＸＡの部分は、取付開口部分５１Ｂの一部分を構成する。導電筒５６の上端部分かつ前方向ＸＡの部分は、殺菌装置６０の下端部分に接触する。
【００４５】
導電板５７は、金属板により形成される。導電板５７は、キャップ５０の上壁５２と一体に成形される。導電板５７は、上壁５２の下面に接触する。導電板５７の前方向ＸＡの部分は、取付開口部分５１Ｂの一部分を構成する。導電板５７の前方向ＸＡの部分は、殺菌装置６０の上端部分に接触する。導電板５７は、接触部分５７Ａを有する。接触部分５７Ａは、キャップ５０が電動歯ブラシ２に取り付けられた状態において、清掃部品３０の導電体３３に接触する。
【００４６】
カバー５８は、非導電性を有する樹脂材料により形成される。カバー５８は、Ｙ方向が長手方向となり、Ｚ方向が短手方向となる長方形状を有する（図５（ｃ）参照）。カバー５８は、取付開口部分５１Ｂの段差部分５１Ｄに嵌め合わせられる。カバー５８は、取付開口部分５１Ｂを前方向ＸＡから覆う。
【００４７】
殺菌装置６０は、取付開口部分５１Ｂに固定される。殺菌装置６０は、導電筒５６および導電板５７に接触する。殺菌装置６０は、カバー５８に接触する。殺菌装置６０は、Ｘ方向においてブリッスル束４０と対向する。殺菌装置６０は、ブリッスル束４０に向けて紫外線光を照射する。
【００４８】
キャップ検出装置７０は、永久磁石７１および磁気センサー７２を有する。永久磁石７１は、キャップ５０の磁石固定部分５１Ｃに固定される。磁気センサー７２は、本体ケース１１の嵌合部分１１Ａに固定される。磁気センサー７２は、回路基板２１と電気的に接続される。磁気センサー７２は、永久磁石７１の磁束に応じた信号をマイクロコンピューター２２に出力する。
【００４９】
図６を参照して、殺菌装置６０の詳細な構成について説明する。
殺菌装置６０は、光源６１としてのチップ型の発光ダイオード、回路基板６２、および一対の端子６３を有する。
【００５０】
光源６１は、回路基板６２の実装面６２Ａに取り付けられる。光源６１は、殺菌作用を有する紫外線光を照射する。
回路基板６２においては、実装面６２Ａに一対の配線部分６２Ｂが形成される。回路基板６２においては、実装面６２Ａ上にコーティング層（図示略）が塗布される。回路基板６２は、光源６１に過大な電力が供給されることを抑制する保護抵抗６５（図７参照）を有する。回路基板６２は、配線部分６２Ｂにより光源６１および一対の端子６３を電気的に接続する。
【００５１】
端子６３は、金属板により形成される。端子６３は、Ｌ字状を有する。端子６３は、固定部品６４により回路基板６２の上端部分および下端部分に固定される。端子６３は、光源６１と導電筒５６（図５参照）とを接続する。端子６３は、光源６１と導電板５７（図５参照）とを接続する。一対の端子６３は、弾性変形した状態で取付開口部分５１Ｂに圧入される（図５参照）。
【００５２】
図７を参照して、制御部２０の回路構成について説明する。
制御部２０は、充放電回路２５、磁気検出回路２６、およびタイマー回路２７を有する。制御部２０においては、各回路２５〜２７がマイクロコンピューター２２（図５（ａ）参照）内に形成される。
【００５３】
充放電回路２５は、電源１２の充電状態に応じて外部電源（図示略）から電源１２への電力の供給状態を制御する。充放電回路２５は、電源１２が満充電のとき、外部電源から電源１２への電力の供給を停止する。充放電回路２５は、電源１２が満充電ではないとき、外部電源から電源１２に電力を供給する。外部電源としては、電動歯ブラシ２を充電する充電器が用いられる。
【００５４】
磁気検出回路２６は、磁気センサー７２の出力に基づいて電動歯ブラシ２に対するキャップ５０の取付状態を検出する。マイクロコンピューター２２は、磁気センサー７２の出力が予め設定された閾値以上のとき、キャップ５０が電動歯ブラシ２に取り付けられていると判定する。
【００５５】
タイマー回路２７は、光源６１の点灯時間に相当する時間として、キャップ５０が電動歯ブラシ２に取り付けられてからの経過時間（以下、「取付後時間」）をカウントする。タイマー回路２７は、磁気検出回路２６によりキャップ５０が電動歯ブラシ２に取り付けられていると判定されたときにカウントを開始する。
【００５６】
図７を参照して、口腔衛生装置１の電気的な接続関係について説明する。
（Ａ）電源１２の陽極は、制御部２０の第１接続端子２３と接続する。
（Ｂ）第１接続端子２３は、装置本体１０の導電ケース１９と接続する。
（Ｃ）導電ケース１９は、キャップ５０の導電筒５６と接続する。
（Ｄ）導電筒５６は、殺菌装置６０の一方の端子６３と接続する。
（Ｅ）電源１２の陰極は、制御部２０の第２接続端子２４と接続する。
（Ｆ）第２接続端子２４は、軸受支持体１７と接続する。
（Ｇ）軸受支持体１７は、軸受部品１６と接続する。
（Ｈ）軸受部品１６は、駆動軸１４と接続する。
（Ｉ）駆動軸１４は、清掃部品３０の接続ターミナル３４と接続する。
（Ｊ）接続ターミナル３４は、清掃部品３０の導電体３３と接続する。
（Ｋ）導電体３３は、キャップ５０の導電板５７と接続する。
（Ｌ）導電板５７は、殺菌装置６０の他方の端子６３と接続する。
【００５７】
口腔衛生装置１の通電回路について説明する。
口腔衛生装置１は、キャップ５０が電動歯ブラシ２に取り付けられた状態において、殺菌装置６０に電力を供給するための通電回路、すなわち図５に示される通電回路ＦＣを形成する。通電回路ＦＣは、キャップ通電通路ＦＣＡ、清掃部品通電通路ＦＣＢ、第１本体通電通路ＦＣＣ、および第２本体通電通路ＦＣＤを有する。
【００５８】
キャップ通電通路ＦＣＡは、キャップ５０において通電経路を形成する。キャップ通電通路ＦＣＡは、キャップ５０の導電筒５６と、殺菌装置６０内の通電経路と、キャップ５０の導電板５７とにより構成される。
【００５９】
清掃部品通電通路ＦＣＢは、清掃部品３０において通電経路を形成する。清掃部品通電通路ＦＣＢは、清掃部品３０の接続ターミナル３４と導電体３３とにより構成される。
第１本体通電通路ＦＣＣおよび第２本体通電通路ＦＣＤは、装置本体１０において通電経路を形成する。第１本体通電通路ＦＣＣは、電源１２の陽極から制御部２０の第１接続端子２３までの通電経路と、装置本体１０の導電ケース１９とにより構成される。第２本体通電通路ＦＣＤは、電源１２の陰極から制御部２０の第２接続端子２４までの通電経路と、軸受支持体１７と、軸受部品１６と、駆動軸１４とにより構成される。
【００６０】
通電回路ＦＣは、以下の接続構成を有する。すなわち、第１本体通電通路ＦＣＣとキャップ通電通路ＦＣＡとが互いに接続される。第２本体通電通路ＦＣＤと清掃部品通電通路ＦＣＢとが互いに接続される。清掃部品通電通路ＦＣＢとキャップ通電通路ＦＣＡとが互いに接続される。このため、通電回路ＦＣにおいては、電源１２、制御部２０、第１接続端子２３、導電ケース１９、導電筒５６、殺菌装置６０、導電板５７、導電体３３、接続ターミナル３４、駆動軸１４、軸受部品１６、軸受支持体１７、第２接続端子２４、および制御部２０の順に電流が流れる。これにより、電源１２は、殺菌装置６０に電力を供給する。
【００６１】
図５を参照して、口腔衛生装置１の動作について説明する。
清掃部品３０の振動に関する動作を以下に示す。
（Ａ１）磁気センサー７２は、キャップ５０が電動歯ブラシ２から取り外されているとき、永久磁石７１と鎖交しない。このため、磁気センサー７２の信号は閾値よりも小さくなる。
【００６２】
（Ａ２）制御部２０は、磁気センサー７２の信号が閾値よりも小さいとき、かつ電源スイッチ１８がオン状態のとき、アクチュエーター１５への電力の供給を開始する。また、電源スイッチ１８がオフ状態に変更されるまでの間にわたりアクチュエーター１５への電力の供給を継続する。
【００６３】
（Ａ３）アクチュエーター１５は、電力の供給を受けるとき、Ｚ方向において駆動軸１４を振動させる。清掃部品３０は、駆動軸１４とともにＺ方向において振動する。これにより、植毛台３２およびブリッスル束４０がＺ方向に振動する。
【００６４】
殺菌装置６０の点灯状態に関する動作を以下に示す。
（Ｂ１）口腔衛生装置１は、キャップ５０が電動歯ブラシ２に取り付けられたとき、通電回路ＦＣ（図７参照）を形成する。このため、電源１２は、殺菌装置６０に電力を供給する。
【００６５】
（Ｂ２）光源６１は、電源１２から供給された電力により点灯する。また、制御部２０により殺菌装置６０への電力の供給が停止されるまで継続して点灯する。これにより、殺菌作用を有する紫外線光がブリッスル束４０に照射される。
【００６６】
（Ｂ３）磁気センサー７２は、キャップ５０が電動歯ブラシ２に取り付けられた状態において、永久磁石７１と鎖交する磁束量が最大となる。このため、磁気センサー７２の出力は、閾値以上となる。
【００６７】
（Ｂ４）制御部２０は、磁気センサー７２の信号が閾値以上のとき、タイマー回路２７により取付後時間のカウントを開始する。そして、制御部２０は、取付後時間が所定時間以上のとき、光源６１を消灯する。なお、所定時間は、光源６１により各ブリッスル束４０を十分に殺菌するために必要な時間に相当する。所定時間は、試験等の結果に基づいて予め設定される。
【００６８】
口腔衛生装置１の作用について説明する。
使用者は、電動歯ブラシ２により口腔内を清掃した後、水により清掃部品３０を洗浄する。そして、使用者は、電動歯ブラシ２にキャップ５０を取り付ける。口腔衛生装置１においては、電動歯ブラシ２にキャップ５０を取り付けた状態において、光源６１が紫外線光をブリッスル束４０に照射する。このため、紫外線光がブリッスル束４０に照射されたとき、ブリッスル束４０の光触媒活性物質４２の作用によりブリッスル束４０に付着した細菌が分解除去される。
【００６９】
本実施形態の口腔衛生装置１は、以下の効果を奏する。
（１）口腔衛生装置１は、清掃部品３０を保護するキャップ５０およびブリッスル束４０を照射する殺菌装置６０を有する。この構成によれば、使用者が口腔衛生装置１を携帯するとき、清掃部品３０が清潔に保たれる。また、キャップ５０が電動歯ブラシ２に取り付けられたとき、光源６１により光がブリッスル４１の光触媒活性物質４２に照射される。このとき、光触媒活性物質４２は、ブリッスル４１に付着した細菌を分解除去する。したがって、口腔衛生装置１は、ブリッスル４１に付着した細菌を分解除去しかつ清掃部品３０を清潔に保つことができる。
【００７０】
（２）口腔衛生装置１は、キャップ５０が電動歯ブラシ２に取り付けられたとき、殺菌装置６０の光源６１を点灯させる。この構成によれば、口腔衛生装置が電動歯ブラシを収容するためのケースを有し、かつこのケースに殺菌装置が取り付けられると仮定した構成と比較して、口腔衛生装置１は、ケースを携帯しなくてもブリッスル４１に付着した細菌を分解除去できる。このため、口腔衛生装置１は、優れた携帯性を有する。
【００７１】
（３）口腔衛生装置１は、キャップ５０が電動歯ブラシ２から取り外されるとき、殺菌装置６０の光源６１が消灯する。この構成によれば、ブリッスル４１の光触媒活性物質４２の作用が得られにくいときに光源６１から紫外線光が照射されることが抑制される。
【００７２】
（４）電動歯ブラシ２の電源１２は、殺菌装置６０に電力を供給する。この構成によれば、殺菌装置６０に電力を供給するための専用の電源を有すると仮定した構成と比較して、部品点数が少なくなる。また、口腔衛生装置１が軽量化する。
【００７３】
（５）口腔衛生装置１は、取付後時間が所定時間以上のとき、光源６１を消灯する。この構成によれば、使用者のスイッチ操作に基づいて光源６１を消灯すると仮定した構成と比較して、スイッチ操作の忘れにより光源６１の点灯状態が維持されることが抑制される。このため、電源１２の電力が消費されることが抑制される。
【００７４】
（６）口腔衛生装置１は、キャップ５０が電動歯ブラシ２に取り付けられたことを検出したとき、電源１２から殺菌装置６０に電流を供給する。この構成によれば、使用者がキャップ５０を電動歯ブラシ２に取り付ける動作が光源６１を点灯させるためのトリガーとなるため、使用者の操作により光源６１を点灯させるためのスイッチを省略することができる。
【００７５】
（７）殺菌装置６０の各端子６３は、弾性変形した状態で導電筒５６および導電板５７と電気的に接続する。この構成によれば、各端子６３と導電筒５６および導電板５７とが離間することに起因して、殺菌装置６０に電流が流れなくなる状況が生じることが抑制される。
【００７６】
（８）殺菌装置６０は、回路基板６２の実装面６２Ａにコーティング層を有する。この構成によれば、水が配線部分６２Ｂに付着することが抑制される。このため、水により配線部分６２Ｂ同士が短絡することが抑制される。
【００７７】
（第３実施形態）
図８は、第３実施形態の口腔衛生装置１を示す。本実施形態の口腔衛生装置１は、図５に示される第２実施形態の口腔衛生装置１との主要な相違点として、次の相違点を有する。すなわち、口腔衛生装置１は、殺菌装置６０に電力を供給するための通電回路ＦＣが異なる。また、口腔衛生装置１は、ブリッスル束９０の構成が異なる。以下では、第２実施形態の口腔衛生装置１と異なる点の詳細を説明し、第２実施形態と共通する構成については同一の符号を付してその説明の一部または全部を省略する。
【００７８】
図８（ａ）に示されるように、本実施形態の口腔衛生装置１は、第２実施形態の口腔衛生装置１の清掃部品３０に代えて清掃部品８０を有する。また、本実施形態のキャップ５０は、第２実施形態のキャップ５０から導電板５７を省略した構成を有する。
【００７９】
清掃部品８０は、ブラシ柄８１、植毛台８２、導電板８３、接続ターミナル８４、内部空間８５、および複数のブリッスル束９０を有する。清掃部品８０においては、ブラシ柄８１、植毛台８２、導電板８３、および接続ターミナル８４が結合された集合体として構成される。清掃部品８０は、同一の非導電性の樹脂材料によりブラシ柄８１および植毛台８２が形成される構成を有する。なお、ブリッスル束９０は「清掃部品において光触媒活性物質を有する部分」に相当する。
【００８０】
植毛台８２は、挿入孔８２Ａおよび接触部分８２Ｂを有する。挿入孔８２Ａは、植毛台８２の植毛面８２Ｃと内部空間８５とを連通する。接触部分８２Ｂは、植毛台８２の後方向ＸＢの部分に形成される。接触部分８２Ｂは、複数の突起を有する。
【００８１】
導電板８３は、金属板により形成される。導電板８３は、内部空間８５に収容される。導電板８３は、接触部分８２Ｂの突起および各ブリッスル束９０に接触する。導電板８３においては、各ブリッスル束９０に対応する位置に凹形状が形成される。
【００８２】
接続ターミナル８４は、金属板により形成される。接続ターミナル８４は、Ｚ方向に延びる。接続ターミナル８４は、内部空間８５に収容される。接続ターミナル８４の上端部分は、導電板８３に固定される。
【００８３】
ブリッスル束９０は、ブリッスル９１が後方向ＸＢの端部において互いに溶着されることにより溶着部分９４が形成される。溶着部分９４の外径は、植毛台８２の挿入孔８２Ａの内径よりも大きい。ブリッスル束９０は、挿入孔８２Ａに挿入される。ブリッスル束９０は、溶着部分９４が植毛台８２の前方向ＸＡの部分および導電板８３に挟み込まれることにより植毛台８２に固定される。
【００８４】
図８（ｂ）に示されるように、ブリッスル９１は、芯部９２および鞘部９３を有する。ブリッスル９１は、鞘部９３が芯部９２を被覆する構成を有する。ブリッスル９１は、芯部９２の先端部分が鞘部９３から前方向ＸＡに突出する構成を有する。
【００８５】
芯部９２は、金属粉を含むポリアミド樹脂により形成される。芯部９２は、円柱形状に形成される。
鞘部９３は、光触媒活性物質９５としての二酸化チタンを有する。鞘部９３は、光触媒活性物質９５が混錬された非導電性を有する樹脂材料により形成される。鞘部９３は、円筒形状に形成される。
【００８６】
キャップ５０は、導電リング５９を有する。キャップ５０は、筒固定部分５１Ａが側周壁５１の上端部分まで延びる。キャップ５０においては、取付開口部分５１Ｂが第２実施形態の取付開口部分５１Ｂよりも下方向ＺＢに位置する。
【００８７】
導電リング５９は、金属粉を含む樹脂材料により形成される。導電リング５９は、筒形状に形成される。導電リング５９は、筒固定部分５１Ａの上端部分に圧入される。導電リング５９は、Ｚ方向において導電筒５６に隙間を介して位置する。導電リング５９は、殺菌装置６０の上端部分と接触する。導電リング５９の前方向ＸＡの部分の下端部分は、取付開口部分５１Ｂの一部分を構成する。導電リング５９は、キャップ５０が電動歯ブラシ２に取り付けられた状態において、ブリッスル束９０の芯部９２と接触する。
【００８８】
口腔衛生装置１の通電回路について説明する。
口腔衛生装置１は、キャップ５０が電動歯ブラシ２に取り付けられた状態において、殺菌装置６０に電力を供給するための通電回路ＦＣ（図７参照）を形成する。通電回路ＦＣは、キャップ通電通路ＦＣＡ、清掃部品通電通路ＦＣＢ、第１本体通電通路ＦＣＣ、および第２本体通電通路ＦＣＤを有する。
【００８９】
キャップ通電通路ＦＣＡは、キャップ５０の導電筒５６と、殺菌装置６０内の通電経路と、キャップ５０の導電リング５９とにより構成される。
清掃部品通電通路ＦＣＢは、清掃部品８０の接続ターミナル８４、導電板８３、および各ブリッスル束９０の芯部９２により構成される。
【００９０】
第１本体通電通路ＦＣＣおよび第２本体通電通路ＦＣＤは、第２実施形態の第１本体通電通路ＦＣＣおよび第２本体通電通路ＦＣＤ（図７参照）と同じ構成を有する。
通電回路ＦＣは、以下の接続構成を有する。すなわち、第１本体通電通路ＦＣＣとキャップ通電通路ＦＣＡとが互いに接続される。第２本体通電通路ＦＣＤと清掃部品通電通路ＦＣＢとが互いに接続される。清掃部品通電通路ＦＣＢとキャップ通電通路ＦＣＡとが互いに接続される。このため、通電回路ＦＣにおいては、電源１２、制御部２０、第１接続端子２３、導電ケース１９（ともに図５参照）、導電筒５６、殺菌装置６０、導電リング５９、芯部９２、導電板８３、接続ターミナル８４、駆動軸１４、軸受部品１６、軸受支持体１７、第２接続端子２４（ともに図５参照）、および制御部２０の順に電流が流れる。これにより、電源１２は、殺菌装置６０に電力を供給する。なお、本実施形態の口腔衛生装置１は、第２実施形態の口腔衛生装置１が奏する（１）〜（７）の効果と同様の効果を奏する。
【００９１】
（第４実施形態）
図９は、第４実施形態の口腔衛生装置１を示す。本実施形態の口腔衛生装置１は、図２に示される第１実施形態の口腔衛生装置１との主要な相違点として、次の相違点を有する。すなわち、口腔衛生装置１は、透光部分５４に代えて、殺菌装置１４０を有する。また、口腔衛生装置１は、振動発生装置１３に代えて、振動発生装置１３０を有する。以下では、第１実施形態の口腔衛生装置１と異なる点の詳細を説明し、第１実施形態と共通する構成については同一の符号を付してその説明の一部または全部を省略する。
【００９２】
本実施形態のキャップ５０は、第１実施形態のキャップ５０から通気孔５２Ａ、取付部分５３および透光部分５４を省略した構成を有する。また、装置本体１０は、第１実施形態の本体ケース１１に代わる本体ケース１００と、第１実施形態の電源スイッチ１８と同様の機能を有する電源スイッチ（図示略）とを有する。また、制御部２０は、第２実施形態の制御部２０と同様の回路を有する。
【００９３】
装置本体１０は、本体ケース１００、カバー１０３、および支持ケース１０４を有する。装置本体１０は、本体ケース１００、カバー１０３、および支持ケース１０４が結合した集合体として構成される。
【００９４】
本体ケース１００は、樹脂材料により形成される。本体ケース１００は、取付軸１０１および内部空間１０２を有する。取付軸１０１は、本体ケース１００の上端部分に形成される。取付軸１０１は、Ｚ方向に貫通する開口部分１０１Ａを有する。開口部分１０１Ａは、本体ケース１００の外部と内部空間１０２とを連通する。取付軸１０１は、振動発生装置１３０および殺菌装置１４０を収容する。
【００９５】
カバー１０３は、取付軸１０１の開口部分１０１Ａに嵌め合わせられる。カバー１０３は、透明な樹脂材料であるＡＢＳ樹脂により形成される。
支持ケース１０４は、樹脂材料により形成される。支持ケース１０４は、本体ケース１００の内部空間１０２に収容される。支持ケース１０４は、本体ケース１００に組み付けられる。支持ケース１０４は、振動発生装置１３０および殺菌装置１４０を支持する。
【００９６】
清掃部品１１０は、ブラシ柄１１１、植毛台１１２、および複数のブリッスル束４０を有する。清掃部品１１０においては、同じ樹脂材料によりブラシ柄１１１および植毛台１１２が成形された構成を有する。清掃部品１１０は、取付軸１０１に嵌め合わせられる。
【００９７】
ブラシ柄１１１は、収容部分１１３、開口部分１１４、および透光窓１２０を有する。ブラシ柄１１１は、収容部分１１３において取付軸１０１を収容する。開口部分１１４は、ブラシ柄１１１の前方向ＸＡの部分に形成される。開口部分１１４は、清掃部品１１０と収容部分１１３とを連通する。
【００９８】
透光窓１２０は、Ｚ方向においてカバー１０３と同じ位置から植毛台１１２の下端部分までにわたり形成される。透光窓１２０は、透明な樹脂材料であるＡＢＳ樹脂により形成される。透光窓１２０は、ブラシ柄１１１の開口部分１１４に嵌め合わせられる。
【００９９】
振動発生装置１３０は、電動モーター１３１、偏心鐘１３３、および伝達部品１３４を有する。振動発生装置１３０は、電動モーター１３１、偏心鐘１３３、および伝達部品１３４が結合された集合体として構成される。振動発生装置１３０は、リード線（図示略）により制御部２０に接続される。
【０１００】
電動モーター１３１は、支持ケース１０４に取り付けられる。電動モーター１３１は、出力軸１３２を有する。偏心鐘１３３は、出力軸１３２の先端部分に固定される。伝達部品１３４は、電動モーター１３１に固定される。伝達部品１３４は、取付軸１０１に接触する。
【０１０１】
殺菌装置１４０は、光源１４１としての砲弾型の発光ダイオードおよび接続部品１４２を有する。殺菌装置１４０は、取付軸１０１の内部空間１０２において振動発生装置１３０およびカバー１０３の間に位置する。接続部品１４２は、光源１４１および制御部２０を電気的に接続する。
【０１０２】
口腔衛生装置１の動作について説明する。
清掃部品１１０の振動に関する動作を以下に示す。
（Ａ１）磁気センサー７２は、キャップ５０が電動歯ブラシ２から取り外されているとき、永久磁石７１と鎖交しない。このため、磁気センサー７２の信号は閾値よりも小さくなる。
【０１０３】
（Ａ２）制御部２０は、磁気センサー７２の信号が閾値よりも小さいとき、かつ電源スイッチ１８がオン状態のとき、電動モーター１３１への電力の供給を開始する。また、電源スイッチ１８がオフ状態に変更されるまでの間にわたり電動モーター１３１への電力の供給を継続する。
【０１０４】
（Ａ３）電動モーター１３１は、電力の供給を受けるとき、出力軸１３２を回転させる。偏心鐘１３３は、出力軸１３２の回転にともない回転する。このため、電動モーター１３１が振動する。電動モーター１３１の振動は、伝達部品１３４を介して取付軸１０１に伝達される。
【０１０５】
（Ａ４）取付軸１０１は、伝達部品１３４から伝達された振動を清掃部品１１０のブラシ柄１１１に伝達する。植毛台１１２およびブリッスル束４０は、ブラシ柄１１１とともに振動する。
【０１０６】
殺菌装置１４０の点灯状態に関する動作を以下に示す。
（Ｂ１）磁気センサー７２は、キャップ５０が電動歯ブラシ２に取り付けられたとき、永久磁石７１と鎖交する。このため、磁気センサー７２の信号は閾値以上となる。
【０１０７】
（Ｂ２）制御部２０は、磁気センサー７２の信号が閾値以上のとき、電源１２から光源１４１への電力の供給と、取付後時間のカウントとを開始する。
（Ｂ３）光源１４１は、電源１２から供給された電力により点灯する。光源１４１は、制御部２０により電力の供給が停止されるまで継続して点灯する。光源１４１から照射された紫外線光は、カバー１０３および透光窓１２０を介して各ブリッスル束４０に到達する。
【０１０８】
（Ｂ４）制御部２０は、取付後時間が所定時間以上のとき、光源１４１を消灯する。なお、所定時間は、光源１４１により各ブリッスル束４０を十分に殺菌するために必要な時間である。所定時間は、試験等の結果に基づいて予め設定される。なお、本実施形態の口腔衛生装置１は、第２実施形態の口腔衛生装置１が奏する（１）〜（６）の効果と同様の効果を奏する。
【０１０９】
（その他の実施形態）
本発明は、第１〜第４実施形態とは別の実施形態を含む。以下、本発明のその他の実施形態としての第１〜第４実施形態の変形例を示す。なお、以下の各変形例は、互いに組み合わせることもできる。
【０１１０】
・第１実施形態のキャップ５０は、透光部分５４が側周壁５１に形成された取付部分５３に嵌め合わせられる構成を有する。一方、変形例のキャップ１５０は、図１０に示されるように、第１キャップ部品１５１および第２キャップ部品１５２を有する。キャップ１５０は、個別に形成された第１キャップ部品１５１および第２キャップ部品１５２が互いに結合される構成を有する。第１キャップ部品１５１は、透明な樹脂材料であるＡＢＳ樹脂により形成される。第１キャップ部品１５１は、第２キャップ部品１５２の上方向ＺＡに位置する。第１キャップ部品１５１は、キャップ１５０が電動歯ブラシ２に取り付けられた状態において、植毛台３２およびブリッスル束４０を覆う。第２キャップ部品１５２は、透明ではない樹脂材料により成形される。なお、第１キャップ部品１５１は「透光部分」に相当する。
【０１１１】
・上記変形例において、第１キャップ部品１５１の材料をＡＢＳ樹脂に代えて、ポリカーボネート、ポリメチルメタクリレート、ポリスチレン、ポリエチレンテレフタレート、ポリプロピレン、ポリエチレン等により成形することもできる。要するに、第１キャップ部品１５１は、透明な材料により成形されていればよい。
【０１１２】
・第１実施形態の口腔衛生装置１は、透光部分５４がキャップ５０の側周壁５１の前方向ＸＡの部分に位置する構成を有する。一方、変形例の口腔衛生装置１は、透光部分５４が側周壁５１のＹ方向の部分に位置する。また、別の変形例の口腔衛生装置１は、透光部分５４が側周壁５１の後方向ＸＢの部分に位置する。また、さらに別の変形例の口腔衛生装置１は、透光部分５４が上壁５２に位置する。
【０１１３】
・第１実施形態の口腔衛生装置１は、透光部分５４がキャップ５０の側周壁５１の前方向ＸＡの部分のみに位置する構成を有する。一方、変形例の口腔衛生装置１は、図１１（ａ）に示されるように、透光部分５４Ａが側周壁５１の前方向ＸＡの部分および側周壁５１のＹ方向の部分にわたり形成される構成を有する。また、別の変形例の口腔衛生装置１は、図１１（ｂ）に示されるように、透光部分５４Ｂが側周壁５１の前方向ＸＡの部分および上壁５２にわたり形成される構成を有する。
【０１１４】
・第１実施形態の透光部分５４は、ポリカーボネートにより成形される。一方、変形例の透光部分５４は、ポリメチルメタクリレート、ポリスチレン、ポリエチレンテレフタレート、ポリプロピレン、ポリエチレン、ＡＢＳ樹脂等により成形される。要するに、透光部分５４は、透明な材料により成形されていればよい。
【０１１５】
・第１実施形態のキャップ５０は、透光部分５４を有する。一方、変形例のキャップ５０は、透光部分５４を有していない。変形例のキャップ５０においては、側周壁５１から取付部分５３が省略された構成を有する。変形例のキャップ５０は、透明な樹脂材料であるＡＢＳ樹脂により形成される。変形例のキャップ５０は、キャップ５０の全体が透光部分を構成する。
【０１１６】
・上記変形例において、キャップ５０の材料をＡＢＳ樹脂に代えて、ポリカーボネート、ポリメチルメタクリレート、ポリスチレン、ポリエチレンテレフタレート、ポリプロピレン、ポリエチレン等により成形することもできる。要するに、キャップ５０は、透明な材料により成形されていればよい。
【０１１７】
・第１実施形態の口腔衛生装置１においては、ブリッスル束４０が光触媒活性物質４２を有する。一方、変形例の口腔衛生装置１においては、図１２に示されるように、ブリッスル束４０が光触媒活性物質４２を有する構成に代えて、植毛台３２が光触媒活性物質３５，３６を有する。なお、第２〜第４実施形態の口腔衛生装置１についても同様である。また、図１２に示される変形例の口腔衛生装置１においては、植毛台３２が「清掃部品において光触媒活性物質を有する部分」に相当する。
【０１１８】
図１２（ａ）に示されるように、植毛台３２の植毛面３２Ａの全体にわたり光触媒活性物質３５を有する。変形例の口腔衛生装置１においては、光触媒活性物質３５が混錬された樹脂材料により植毛台３２が形成される。
【０１１９】
図１２（ｂ）に示されるように、植毛台３２においてブリッスル束４０を挿入するための挿入孔３２Ｂの周囲の部分に光触媒活性物質３６を有する。変形例の口腔衛生装置１においては、光触媒活性物質３６が混錬された樹脂材料により植毛台３２が形成される。
【０１２０】
上記変形例の口腔衛生装置１において、植毛台３２が光触媒活性物質３５，３６を有する構成にブリッスル束４０が光触媒活性物質４２を有する構成を加えることもできる。なお、第２〜第４実施形態の口腔衛生装置１についても同様である。また、この場合、ブリッスル束４０および植毛台３２が「清掃部品において光触媒活性物質を有する部分」に相当する。
【０１２１】
・第３実施形態の口腔衛生装置１は、図８のブリッスル束９０を有する。一方、変形例の口腔衛生装置１は、複数のブリッスル束９０のうちの一部に代えて、図３のブリッスル束４０を有する。
【０１２２】
・第１、第２、および第４実施形態のブリッスル束４０は、光触媒活性物質４２が混錬された樹脂材料により形成されたブリッスル４１を有する。一方、変形例のブリッスル束４０は、図１３に示される構成を有する。
【０１２３】
図１３（ａ）に示されるように、ブリッスル束４０は、ポリアミド樹脂により形成されたブリッスル４３の外周面に光触媒活性物質４４が塗布される構成を有する。
図１３（ｂ）に示されるように、ブリッスル束４０は、光触媒活性物質４６がブリッスル４５の一部分に位置する構成を有する。光触媒活性物質４６は、ブリッスル４５の長手方向の全体にわたり形成される。なお、光触媒活性物質４６は、ブリッスル４５の長手方向の一部分に形成されてもよい。
【０１２４】
図１３（ｃ）に示されるように、ブリッスル束４０は、複数個の粒状の光触媒活性物質４８がブリッスル４７の外周面に互いに離間した状態で位置する構成を有する。光触媒活性物質４８は、光触媒活性物質４８が配置された基台上にブリッスル４７がローラー（図示略）により押し付けられた状態で回転させられることによりブリッスル４７の外周面に取り付けられる。
【０１２５】
・第１、第２、および第４実施形態の口腔衛生装置１は、図３のブリッスル束４０を有する。一方、変形例の口腔衛生装置１は、ブリッスル束４０の少なくとも１つに代えて、図８のブリッスル束９０を有する。
【０１２６】
・第１、第２、および第４実施形態のブリッスル４１は、ポリアミド樹脂により形成される。一方、変形例のブリッスル４１は、ポリアミド樹脂に代えて、ポリブチレンテレフタレート等の飽和ポリエステル樹脂により形成される。
【０１２７】
・第１、第２、および第４実施形態のブリッスル束４０は、光触媒活性物質４２として二酸化チタンを有する。一方、変形例のブリッスル束４０は、光触媒活性物質４２として二酸化チタンに代えて、亜鉛、マンガン、スズ、インジウム、鉄のうちの少なくとも１つを有する材料を有する。なお、第３実施形態のブリッスル束９０についても同様である。
【０１２８】
・第１、第２、および第４実施形態のブリッスル束４０は、各ブリッスル４１に光触媒活性物質４２を有する。一方、変形例のブリッスル束４０は、光触媒活性物質４２を有するブリッスル４１と、光触媒活性物質４２を有していないブリッスルとにより構成される。また、別の変形例のブリッスル束４０は、光触媒活性物質４２を有するブリッスル４１により構成された第１ブリッスル束と、光触媒活性物質４２を有していないブリッスルにより構成された第２ブリッスル束とにより構成される。
【０１２９】
・第２および第３実施形態の口腔衛生装置１は、電源１２の陽極と接続する第１本体通電通路ＦＣＣと、電源１２の陰極と接続する第２本体通電通路ＦＣＤとを有する。一方、変形例の口腔衛生装置１は、電源１２の陰極と接続する第１本体通電通路ＦＣＣと、電源１２の陽極と接続する第２本体通電通路ＦＣＤとを有する。
【０１３０】
・第２および第３実施形態の殺菌装置６０は、キャップ５０の側周壁５１の前方向ＸＡの部分に位置する。一方、変形例の殺菌装置６０は、キャップ５０の側周壁５１のＹ方向の部分に位置する。また、別の変形例の殺菌装置６０は、キャップ５０の上壁５２に位置する。
【０１３１】
・第２〜第４実施形態の殺菌装置６０，１４０は、光源６１，１４１としての発光ダイオードを有する。一方、変形例の殺菌装置６０，１４０は、発光ダイオードに代えて蛍光灯を有する。
【０１３２】
・第２〜第４実施形態の殺菌装置６０，１４０においては、光源６１，１４１が紫外線光を照射する。一方、変形例の殺菌装置６０，１４０においては、光源６１，１４１が紫外線光以外の波長の光を照射する。
【０１３３】
・第２〜第４実施形態の口腔衛生装置１は、装置本体１０へのキャップ５０の取り付け動作、および装置本体１０からのキャップ５０の取り外し動作に応じて光源６１，１４１の点灯状態を変更する。一方、変形例の口腔衛生装置１は、光源６１，１４１の点灯状態を変更するためのスイッチを有する。
【０１３４】
スイッチは、使用者の操作によりオン状態が選択されるとき、光源６１，１４１を点灯するための信号を制御部２０に送信する。一方、スイッチは、使用者の操作によりオフ状態が選択されるとき、光源６１，１４１を消灯するための信号を制御部２０に送信する。制御部２０は、スイッチから受信した信号に応じて光源６１，１４１を点灯または消灯する。
【０１３５】
・第１〜第３実施形態の口腔衛生装置１は、本体ケース１１においてキャップ５０よりも下方向ＺＢの部分に電源スイッチ１８を有する。一方、変形例の口腔衛生装置１は、本体ケース１１の嵌合部分１１Ａに電源スイッチ１８を有する。
【０１３６】
・第１〜第３実施形態の口腔衛生装置１は、アクチュエーター１５を有する。一方、変形例の口腔衛生装置１は、アクチュエーター１５を有していない。
・第４実施形態の口腔衛生装置１は、振動発生装置１３０を有する。一方、変形例の口腔衛生装置１は、振動発生装置１３０を有していない。
【０１３７】
・第１〜第４実施形態の口腔衛生装置１は、キャップ５０が装置本体１０に直接的に取り付けられる構成を有する。一方、変形例の口腔衛生装置１は、キャップ５０が清掃部品３０，８０に取り付けられる構成、すなわち清掃部品３０，８０を介して間接的に装置本体１０に取り付けられる構成を有する。なお、キャップ５０が装置本体１０に直接的に取り付けられる構成、およびキャップ５０が清掃部品３０，８０を介して間接的に装置本体１０に取り付けられる構成のそれぞれにおいて、キャップ５０は「清掃装置への取り付けおよび取り外しが可能かつ清掃部品を保護する部品」に相当する。
【０１３８】
・第１〜第４実施形態の口腔衛生装置１は、清掃部品３０，８０が装置本体１０からの取り外しが可能な構成を有する。一方、変形例の口腔衛生装置１は、清掃部品３０，８０が装置本体１０と一体化した構成を有する。
【０１３９】
・第１〜第４実施形態の口腔衛生装置１は、清掃装置として電動歯ブラシ２を構成する。一方、変形例の口腔衛生装置１は、清掃装置として、電動歯ブラシ２に代えてステインケアまたは歯間ブラシを有する。要するに、本発明の口腔衛生装置は、口腔内を清掃する清掃装置を有していれば電動歯ブラシ以外の口腔衛生装置にも適用することができる。
【符号の説明】
【０１４０】
１…口腔衛生装置、２…電動歯ブラシ（清掃装置）、１２…電源、３０…清掃部品、３２…植毛台、３２Ａ…植毛面、３５…光触媒活性物質、３６…光触媒活性物質、４０…ブリッスル束、４１…ブリッスル、４２…光触媒活性物質、４３…ブリッスル、４４…光触媒活性物質、４５…ブリッスル、４６…光触媒活性物質、４７…ブリッスル、４８…光触媒活性物質、５０…キャップ、５４…透光部分、５４Ａ…透光部分、５４Ｂ…透光部分、６１…光源（発光ダイオード）、８０…清掃部品、８２…植毛台、８２Ｃ…植毛面、９０…ブリッスル束、９１…ブリッスル、９５…光触媒活性物質、１１０…清掃部品、１１２…植毛台、１４１…光源（発光ダイオード）、１５０…キャップ、１５１…第１キャップ部品（透光部分）。ＦＣ…通電回路、ＦＣＡ…キャップ通電通路、ＦＣＢ…清掃部品通電通路、ＦＣＣ…第１本体通電通路、ＦＣＤ…第２本体通電通路。
【図１】
2014018519.tif 000003
【図２】
2014018519.tif 000004
【図３】
2014018519.tif 000005
【図４】
2014018519.tif 000006
【図５】
2014018519.tif 000007
【図６】
2014018519.tif 000008
【図７】
2014018519.tif 000009
【図８】
2014018519.tif 000010
【図９】
2014018519.tif 000011
【図１０】
2014018519.tif 000012
【図１１】
2014018519.tif 000013
【図１２】
2014018519.tif 000014
【図１３】
2014018519.tif 000015